(57)【要約】【課題】  従来の収容チャネル数が少ない無線基地局装置（ＢＴＳ）では、ＭＳからＲＲＣコネクション要求を行った時に、ユーザが設置したＢＴＳに接続できずに他のＢＴＳに接続することがあり、他ＭＳによって自ＢＴＳが使用されるのを制限し、ＢＴＳを設置したユーザの利便性を向上させる無線基地局装置を提供する。【解決手段】  予め登録されたユーザ認識ＩＤを記憶部１７のユーザ認識ＩＤテーブル１８に登録しておき、制御部１５が、ＭＳからＲＡＣＨでＲＲＣコネクション要求があった場合に、当該ＲＡＣＨに含まれるＩＤ（ＩＭＳＩ）が、ユーザ認識ＩＤ登録テーブル１８に記憶されているＩＤと一致するか否かを判断し、一致する場合には、上位装置にＲＲＣコネクション要求を送信し、一致しない場合にはＲＲＣコネクション要求を破棄することにより、ＢＴＳを設置したユーザのＭＳが独占的に当該ＢＴＳを使用できる無線基地局装置である。【選択図】        図５
2008167497.tif 000002
【特許請求の範囲】
【請求項１】
移動端末からのＲＲＣコネクション要求を受信して、当該ＲＲＣコネクション要求を無線通信システムの上位装置に送信する制御を行う制御部を備えた無線通信システムの無線基地局装置であって、
予め登録された移動端末のＩＤを記憶するユーザ認識ＩＤテーブルを備えた記憶部を設け、
前記制御部が、移動端末からＲＲＣコネクション要求を受信した場合に、前記要求に含まれる前記要求元の移動端末のＩＤが前記ユーザ認識ＩＤテーブルに記憶されているかどうかを判断し、記憶されている場合には、前記ＲＲＣコネクション要求を前記上位装置に送信するよう制御を行い、前記移動端末のＩＤが前記ユーザ認識ＩＤテーブルに記憶されていない場合には、前記ＲＲＣコネクション要求を前記上位装置に送信しないよう制御を行う制御部であることを特徴とする無線基地局装置。
【発明の詳細な説明】
【技術分野】
【０００１】
本発明は、ＷＣＤＭＡ（Wideband Code Division Multiple Access）等の無線通信システムで用いられる無線基地局装置に係り、特に小規模セルにおいて利用者の利便性を向上させることができる無線基地局装置に関する。
【背景技術】
【０００２】
一般的な無線通信システムのシステム構成について図１５を用いて説明する。図１５は、一般的な無線通信システムの構成を示す概略説明図である。
図１５に示すように、ＷＣＤＭＡ等を用いた無線通信システムは、ユーザが携帯する移動端末（ＭＳ：Mobile Station、以下「ＭＳ」と称する）１と、移動端末と無線通信を行う無線基地局装置（図では「基地局装置」）（ＢＴＳ：Base Transceiver Station、以下「ＢＴＳ」と称する）２と、複数のＢＴＳ２と有線伝送路で接続され、各ＢＴＳ２を制御する無線制御装置（ＲＮＣ：Radio Network Controller、以下「ＲＮＣ」と称する）３と、ＭＳ１の呼接続や切断の制御を行う移動交換器（ＭＳＣ：Mobile Switching Center、以下「ＭＳＣ」と称する）４と、各ＭＳ１に関する端末の識別番号の管理や位置情報の管理を行うホームロケーションレジスタ（ＨＬＲ：Home Location Resister）５とから構成されている。
尚、ホームロケーションレジスタ５は、移動端末１毎の使用可能なサービス情報や課金情報等のユーザ情報の管理も行うデータベースである。
【０００３】
そして、ＭＳ１がＢＴＳ２のサービスエリア内に移動したり、電源投入等で無線アクセス機能が有効となった場合、ＭＳ１は位置登録を行う。
ここで、位置登録のシーケンスについて図１６を用いて説明する。図１６は、位置登録シーケンスを示す説明図である。
図１６に示すように、ＭＳ１から、共通チャネルであるＲＡＣＨ（Random Access Channel）を用いて、ＢＴＳ２を介してＲＮＣ３に呼接続設定要求（Connection Setup Request）が送信される（Ｓ１）。
【０００４】
ＲＮＣ３は、ＢＴＳ２に個別チャネル（ＤＰＣＨ：dedicated physical channel）設定コマンドを送信する（Ｓ２）と共に、ＭＳ１にＦＡＣＨ（Forward Access Channel）を用いて呼接続設定（Connection Setup）を送信する（Ｓ３）。
【０００５】
ＭＳ１は、ＤＰＣＨを用いて、ＲＮＣ３に呼接続設定完了通知（Connection Setup Complete）を送信し（Ｓ４）、更に、ＭＳＣ４に位置登録要求を送信する（Ｓ５）。
ＭＳＣ４は、ＤＰＣＨを用いて認証要求を送信し（Ｓ６）、ＭＳ１から認証応答を受信すると（Ｓ７）、ＭＳ１に位置登録要求受付通知を送信する（Ｓ８）。
【０００６】
そして、ＭＳＣ４は、ＭＳ１から位置登録完了を受信すると（Ｓ９）、ＲＮＣ３に解放コマンドを送信する（Ｓ１０）。
ＲＮＣ３はＭＳ１に呼解放（Connection Release）を送信し（Ｓ１１）、ＭＳ１からの呼解放完了通知（Connection Release Complete）を受信すると（Ｓ１２）、ＢＴＳ２に個別チャネル（ＤＰＣＨ）解放コマンドを送信して（Ｓ１３）、位置登録のシーケンスを完了する。
これにより、ＭＳ１が特定のＢＴＳ２のエリアにいることが上位装置に認識され、ＭＳ１は当該ＢＴＳ２を介しての通信が可能となるものである。
【０００７】
ところで、近年、移動端末の利用者増加に伴い、１つの基地局装置がカバーするセルサイズを小さくする方法（マイクロセル方式）が実施されている。また、更に小さいセルも導入されており、家庭やオフィス内でのローカルエリアにおけるサービス提供が行われるようになっている。
【０００８】
このようにサービスエリアが狭い場合、ＢＴＳ２の収容チャネル数は少なくなっている（例えば４ユーザ）。
従来の無線通信システムにおいては、ＢＴＳ２の最大収容チャネル数以内であれば、ユーザによって使用を制限することはなく、呼接続要求等のＲＲＣ（Radio Resource Control）コネクション要求があったときにチャネルに空きがあれば収容するようになっていた。
【０００９】
従来のＲＲＣコネクションシーケンスの概要について図１７を用いて説明する。図１７は、従来の無線通信システムにおけるＲＲＣコネクションシーケンスの概要を示す説明図である。
図１７に示すように、従来の無線通信システムでは、ＭＳ１から、ＲＡＣＨを用いてＲＲＣコネクション要求があると、ＢＴＳ２は、特に制限することなく上位装置（ＲＮＣ３）に要求を通していた。これによりコネクション設定シーケンスが実行され、上位装置からＭＳ１にＲＲＣコネクション設定が送信され、ＭＳ１がＲＲＣコネクション完了を返信して完了する。
【００１０】
しかし、家庭内やオフィス内に設けられたＢＴＳ２のように、収容チャネル数が少ない場合には、上述したように無制限にＲＲＣコネクション要求を上位装置に送信していると、ＢＴＳ２を占有して使用したいために当該ＢＴＳを設置したユーザ（家庭内やオフィス内のユーザ）がＲＲＣ要求を行った場合に、収容チャネルの空きがなく、別のＢＴＳ２と接続せざるを得ないということが起こる。
【００１１】
このような状況について図１８を用いて説明する。図１８は、従来の無線通信システムにおける不具合な点を示す模式説明図である。
図１８において、「自ＢＴＳ」は、ユーザが「自ＭＳ」を用いて通信を行うために設けたＢＴＳ（家庭内やオフィス内のＢＴＳ）であり、「他ＭＳ」はユーザとは無関係なＭＳであり、「他ＢＴＳ」はユーザとは無関係なＢＴＳである。
【００１２】
通常は、自ＭＳがＲＲＣコネクション要求を送信した場合、自ＢＴＳを介して上位装置に送信されるが、図１８の例のように、他ＭＳが自ＢＴＳを使用していて、自ＢＴＳの収容チャネル数に空きがなくなってしまうと、自ＭＳはセルサーチを行って別のＢＴＳ（他ＢＴＳ）と接続することになる。
【００１３】
尚、無線基地局装置に関する従来技術としては、平成１５年４月１８日公開の特開２００３−１１６１７８号「Ｗ−ＣＤＭＡ無線基地局」（出願人：株式会社日立国際電気、発明者：四本宏二）がある。
この従来技術は、外部のネットワークから受信したパラメータに基づいて最適なチャネルの割り付けを行う無線基地局で、制御部が、パラメータに基づいてプリアンブル検出部兼パスサーチ部をプリアンブル検出またはパスサーチに切り替え、ＲＡＣＨ数とＤＰＣＨ数の割り当てを変更するＷ−ＣＤＭＡ無線基地局装置であり、セル半径やsignature数に応じてをＲＡＣＨ数とＤＰＣＨ数の割り当てをダイナミックに変化させることができるものである。
【００１４】
【特許文献１】特開２００３−１１６１７８号公報
【発明の開示】
【発明が解決しようとする課題】
【００１５】
しかしながら、従来の無線基地局装置（ＢＴＳ）では、ＭＳからのＲＲＣコネクション要求があると、ＢＴＳは収容チャネル数に空きがあれば無条件で受け付けてしまうので、ユーザが自ＭＳからＲＲＣコネクション要求を行った時に、他のＭＳが自ＢＴＳを使用していて、自ＢＴＳに接続できず他のＢＴＳに接続せざるを得ないという状態が起こり、不便であるという問題点があった。
【００１６】
本発明は上記実状に鑑みて為されたもので、当該ＢＴＳを使用する権限のないＭＳによってＢＴＳが使用されるのを制限でき、ＢＴＳを設置したユーザの利便性を向上することができる無線基地局装置を提供することを目的とする。
【課題を解決するための手段】
【００１７】
上記従来例の問題点を解決するための本発明は、移動端末からのＲＲＣコネクション要求を受信して、無線通信システムの上位装置に送信する制御を行う制御部を備えた無線通信システムの無線基地局装置であって、予め登録された移動端末のＩＤを記憶するユーザ認識ＩＤテーブルを備えた記憶部を設け、制御部が、移動端末からＲＲＣコネクション要求を受信した場合に、当該要求に含まれる要求元の移動端末のＩＤがユーザ認識ＩＤテーブルに記憶されているかどうかを判断し、記憶されている場合には、ＲＲＣコネクション要求を上位装置に送信するよう制御を行い、移動端末のＩＤがユーザ認識ＩＤテーブルに記憶されていない場合には、ＲＲＣコネクション要求を上位装置に送信しないよう制御を行う制御部であることを特徴としている。
【発明の効果】
【００１８】
本発明の無線基地局装置は、制御部が、移動端末からＲＲＣコネクション要求を受信した場合に、当該要求に含まれる要求元の移動端末のＩＤがユーザ認識ＩＤテーブルに記憶されているかどうかを判断し、記憶されている場合には、ＲＲＣコネクション要求を上位装置に送信するよう制御を行い、移動端末のＩＤがユーザ認識ＩＤテーブルに記憶されていない場合には、ＲＲＣコネクション要求を上位装置に送信しないよう制御する無線基地局装置であるため、無線基地局装置を設置したユーザの移動端末のＩＤをユーザ認識ＩＤテーブルに登録しておくことにより、登録されていない移動端末による当該無線基地局装置の使用を禁止し、使用の権限を有する移動端末だけで当該無線基地局装置を独占的に使用でき、特に、収容チャネル数の少ない無線基地局装置において当該無線基地局装置を設置したユーザの利便性を向上させることができる効果がある。
【発明を実施するための最良の形態】
【００１９】
本発明の実施の形態について図面を参照しながら説明する。
本発明の実施の形態に係る無線基地局装置（ＢＴＳ）は、予め登録されたＭＳからのＲＲＣコネクション要求時のみ、上位装置にＲＲＣコネクション要求を送信し、それ以外のＭＳ１からの要求時には上位装置への要求を行わないものであり、当該ＢＴＳを使用する権限を持つ特定のＭＳが当該ＢＴＳを独占的に使用できるようにして、利便性を向上させることができるものである。
【００２０】
また、本発明の実施の形態に係る無線基地局装置は、登録されているＭＳの数がＢＴＳの最大収容チャネル数よりも少ない場合に、最大収容チャネル数から登録されているＭＳ数を引いた数については、登録されていないＭＳであってもＲＲＣコネクション要求を上位装置に送信するものであり、特定のＭＳがＢＴＳを優先的に使用できると共に、収容チャネル数に余裕があれば他のＭＳからのＲＲＣコネクション要求も受け付けて、ＢＴＳを有効利用することができるものである。
【００２１】
本発明の実施の形態に係る無線通信システムは、基本的には図１５に示した一般的な無線通信システムと同様の構成であるため説明を省略するが、ＭＳ及びＢＴＳにおける処理が一部異なっている。
図１は、本発明の第１の実施の形態に係る無線通信システムにおける無線基地局装置（第１の装置）の構成ブロック図である。
【００２２】
第１の実施の形態に係る無線基地局装置は、図１に示すように、無線部１１と、変復調部１２と、信号処理部１３と、伝送路インタフェース部１４と、制御部１５と、メインメモリ１６と、記憶部１７と、インタフェース部１９と、表示部２０とから構成されており、記憶部１７には、本装置の特徴部分としてユーザ認識ＩＤテーブル１８が設けられている。
【００２３】
各構成部分について説明する。
無線部１１は、移動端末（ＭＳ）と無線送受信を行う。
変復調部１２は、送信信号の１次変調及び拡散処理と受信信号の逆拡散処理及び１次復調を行う。
【００２４】
信号処理部１３は、ＤＳＰ（Digital Signal Processor）等で構成され、送受信に伴う符号化・復号化を行う。また、本発明の無線基地局装置では、後述するようにＲＡＣＨに含まれるＭＳの識別番号であるＩＭＳＩを取り出す。
伝送路インタフェース１４は、上位装置に接続する有線の伝送路に接続し、データの送受信に伴うプロトコル変換及び送受信を行う。
【００２５】
制御部１５は、ＣＰＵ等で構成され、記憶部１８に記憶されている処理プログラムをメインメモリ１６に展開して起動することにより、装置全体の制御を行う。具体的には、記憶部１７へのデータの書き込み／読み出しや表示部２０の表示制御を行い、本装置の特徴部分となるユーザ登録処理（「登録モード」での処理）や、ＲＲＣコネクション要求があった場合のユーザの判定処理を行うものである。
【００２６】
記憶部１７は、制御部１５における処理プログラムやユーザ認識ＩＤテーブル１８の他、ＢＴＳ識別ＩＤやスクランブリングコード等の各種データを記憶している。
ユーザ認識ＩＤテーブル１８は、図示は省略するが、予め登録されたＭＳ１のＩＤをリストとして記憶しているものである。ここでは、ユーザ認識ＩＤとして、ＭＳの固有番号であるＩＭＳＩ（International Mobile Subscriber Identity）を用いているが、同様の固有番号であるＩＭＥＩ（International Mobile Equipment Identity）や、それ以外の情報、例えばユーザが任意に決めたパスワードであっても構わない。通常、ＷＣＤＭＡにおいて、ＩＭＳＩはＲＡＣＨのメッセージに含まれている。また、ユーザ認識ＩＤテーブル１６に登録可能なＩＤの数は、当該ＢＴＳ２の最大収容数以内であっても最大収容数より多くても構わない。
【００２７】
インタフェース部１９は、表示部２０等周辺機器との接続を行う。また、必要に応じてイーサネット（登録商標）、Bluetooth（登録商標）、赤外線通信、ＵＳＩＭ（Universal Subscriber Identity Module）カード、ＵＳＢコネクタ等のインタフェースを備え、各種外部機器と接続するものである。
表示部２０は、制御部１５からの指示に従って表示を行うものである。
【００２８】
また、第１の装置を用いた無線通信システムにおける移動端末（ＭＳ）の構成は、従来とほぼ同様であるため図示は省略するが、無線通信を行う無線部と、データを表示する表示部と、データを記憶する記憶部と、ユーザが指示を入力するキー入力部やＧＵＩ（Graphical User Interface）等の入力部と、無線通信に伴うデータ変換や送受信制御及び表示制御等の装置全体の制御を行う制御部とを備えている。
但し、制御部における処理が一部異なっており、自己のＩＤを無線基地局装置のユーザ認識ＩＤテーブル１８に登録するための「登録モード」を備えている。
【００２９】
ここで、第１の実施の形態に係る無線基地局装置を用いた無線通信システムにおける動作の概略について図２を用いて説明する。図２は、第１の装置を用いた無線通信システムの動作の概要を示す説明図である。
図２に示すように、第１の装置を用いた無線通信システムでは、自ＭＳが保持しているＩＤを、第１の装置（図では「自ＢＴＳ」）のユーザ認識ＩＤテーブルに登録しておき、自ＢＴＳの制御部１５が、ＭＳからＲＲＣコネクション要求があった場合に、当該要求に含まれるＭＳのＩＤを読み取って、当該ＩＤがユーザ認識テーブルに登録されている場合にのみＲＲＣコネクション要求を上位装置に送信して、当該ＢＴＳを使用可能とするようにしている。
【００３０】
これにより、自ＢＴＳのユーザ認識ＩＤテーブルに登録されている自ＭＳは当該ＢＴＳを使用できるが、登録されていない他ＭＳは、自ＢＴＳを使用できないようにして、例えば、自ＢＴＳを設置した家庭内やオフィス内のユーザのＭＳのＩＤをユーザ認識ＩＤテーブルに登録しておくことにより、家庭内やオフィス内のユーザが自ＢＴＳを占有して使用することができ、ＢＴＳを設けたユーザの利便性を向上させることができるものである。
【００３１】
ユーザ登録について説明する前にＭＳとＢＴＳの初期設定について簡単に説明する。
まず、初期設定として、ＭＳ側では、占有したいＢＴＳを識別するためのＩＤ（以下「ＢＴＳ識別ＩＤ」と称する）を取得し、記憶しておく。ＢＴＳ識別ＩＤとしては、ＢＴＳのシリアル番号や、ユーザが独自にＢＴＳに設定したパスワード等が考えられる。ＢＴＳ識別ＩＤは、ＭＳ側とＢＴＳ側の双方が認識している必要がある。
【００３２】
ＢＴＳ側では、ＢＴＳ識別ＩＤとしてシリアル番号を用いる場合には特別な初期設定は不要であるが、ＢＴＳ識別ＩＤとしてユーザがパスワードを設定する場合には、例えば、ＢＴＳ２にイーサネット（登録商標）インタフェースを設けてＰＣと接続し、ユーザがＰＣからパスワードを登録することが考えられる。又は、ＢＴＳがインタフェースを備えている場合には、ＭＳ側から赤外線通信やBluetooth（登録商標）を介してＢＴＳにパスワードを登録してもよい。パスワードのフォーマットは、特に規定しないが、例えば固定長（32Byte）で任意の英数字をユーザが設定するものが考えられる。
【００３３】
次に、上記第１の装置のユーザ認識ＩＤテーブル１８へのユーザ登録の方法について説明する。
まず、無線基地局装置として第１の装置を用いた無線通信システムにおけるＭＳ側のユーザ登録方法について図３を用いて説明する。図３は、第１の装置を用いた無線通信システムのＭＳの制御部におけるユーザ登録方法を示すフローチャート図である。
図３に示すように、ＭＳにおいて、ＧＵＩ等を介して、ユーザによって「登録モード」が設定される（１００）と、ＭＳの制御部（以下、単にＭＳとする）は、予め初期設定で取得しておいたＢＴＳ識別ＩＤをＲＡＣＨに付して、ＲＲＣコネクションを送信する（１０２）。登録モードに対応する処理プログラムは予め記憶部に記憶されており、登録モードに設定された場合に、制御部が、登録モードの処理プログラムを読み出してメインメモリに展開し、処理を起動するものである。
【００３４】
更に、ＭＳは、ＢＴＳを識別する手段として、登録先ＢＴＳのスクランブリングコード等のパラメータを取得する。ＭＳは、共通の制御チャネルから登録先ＢＴＳや隣接セルのＢＴＳのスクランブリングコードを予め取得しており、これにより、ＢＴＳの識別が可能となる。
【００３５】
そして、ＭＳは、ＢＴＳから、ユーザ認識ＩＤの登録完了の通知を受信したかどうかを判断し（１０４）、登録完了を受信していなければ、タイムアウト（T.O.）したかどうかを判断し（１０６）、タイムアウトしていなければ、処理１０２に戻って再度ＲＲＣコネクションを送信する。
【００３６】
また、処理１０６でタイムアウトした場合には、ＭＳは、登録ＮＧと判断して、「登録ＮＧ」を表示部に表示してユーザに通知し、取得したパラメータを削除して、登録モードを解除する（１０８）。
【００３７】
また、処理１０４でＢＴＳからユーザ認識ＩＤの登録完了の通知を受信した場合には、ＭＳは登録ＯＫと判断して、「登録完了」を表示部に表示してユーザに通知し、登録モードを解除する（１１０）。
このようにして、無線基地局装置として第１の装置を用いた無線通信システムにおける移動端末のユーザ登録処理が行われるものである。
【００３８】
次に、第１の無線基地局装置におけるユーザ登録方法について図４を用いて説明する。図４は、第１の無線基地局装置の制御部１５におけるユーザ登録方法を示すフローチャート図である。
図４に示すように、ＢＴＳにおいてモード切り替えスイッチ（図示せず）により登録モードが設定されると（２００）、ＢＴＳの制御部１５は、登録モードの処理プログラムを起動して、ＭＳからＲＡＣＨを受信したかどうかを判断する（２０２）。
【００３９】
ＲＡＣＨを受信した場合には、ＢＴＳの制御部１５は、ＭＳにスクランブリングコード等のパラメータを送信し、当該ＲＡＣＨからＢＴＳ識別ＩＤを抜き出して（２０４）、読み出したＢＴＳ識別ＩＤが、自己が記憶しているＢＴＳ識別ＩＤと一致するかどうかを判断する（２０６）。
【００４０】
そして、ＢＴＳ識別ＩＤが一致した場合には、制御部１５は、当該ＲＡＣＨに含まれるＩＭＳＩを読み出して、ユーザ認識ＩＤテーブル１６に登録し（２１２）、登録ＯＫと判断して、ＭＳに「登録完了」を送信し（２１４）、登録モードを解除する。
【００４１】
また、処理２０２でＲＡＣＨを受信しなかった場合と、処理２０６でＲＡＣＨから抜き出したＢＴＳ識別ＩＤが記憶しているＢＴＳ識別ＩＤと一致しなかった場合には、制御部１５は、タイムアウト（T.O.）したかどうかを判断し（２１０）、タイムアウトしていなければ処理２０２に移行して再度ＲＡＣＨを待ち受ける。
【００４２】
そして、処理２１０でタイムアウトした場合には、処理部１５は、登録ＮＧと判断してＭＳに「登録ＮＧ」を送信して通知すると共に、表示部１７に「登録ＮＧ」を表示して、登録モードを解除する（２２０）。
このようにしてＢＴＳにおけるユーザ登録処理が行われるものである。
【００４３】
また、本発明のＢＴＳでは、ＵＳＩＭカードに記憶されているＩＭＳＩを読み出して登録する方法も可能である。ＵＳＩＭカードは、電話番号、ユーザＩＤ、任意のメモリエリア等から構成されるＩＣカードであり、通常はＭＳに挿入して使用されるが、ここでは無線基地局装置のインタフェース部１９にＵＳＩＭコネクタを設け、ここにＵＳＩＭカードを差し込んでＩＭＳＩの登録を行うものである。
【００４４】
具体的には、インタフェース部１９のＵＳＩＭコネクタにＵＳＩＭカードが挿入されると、制御部１５は、当該ＵＳＩＭカードに記憶されているＩＭＳＩの情報を読み出して、記憶部１７のユーザ認識ＩＤテーブル１８に登録するものである。
【００４５】
次に、第１の装置を用いた無線通信システムにおけるＲＲＣコネクションシーケンスについて図５を用いて説明する。図５（ａ）は、ＭＳのＩＤがユーザ認識ＩＤテーブル１８に登録されている場合のシーケンス説明図、（ｂ）は、ＭＳのＩＤがユーザ認識ＩＤテーブル１８に登録されていない場合のシーケンス説明図である。
図５（ａ）に示すように、ユーザ認識ＩＤが登録されている場合、ＭＳは、ＲＡＣＨに自己のＩＤ（ＩＭＳＩ）を付加してＲＲＣコネクション要求を送信する（Ｓ２１）。
【００４６】
ＢＴＳ（第１の装置）では、受信ＩＤ判定処理として、受信したＲＡＣＨに含まれるＩＤ（ＩＭＳＩ）が、ユーザ認識ＩＤ登録テーブル１８に登録されているか否かを判断し、登録されているので、上位装置にＲＲＣコネクション要求を送信する（Ｓ２２）。ここで、ＢＴＳから上位装置へのＲＲＣコネクション要求には、ＭＳのＩＤは付加しないものである。
【００４７】
そして、ＢＴＳと上位装置との間でコネクション設定シーケンスが行われ、設定が完了すると、上位装置からＭＳにＲＲＣコネクション設定が送信され（Ｓ２３）、ＭＳは上位装置にＲＲＣコネクション完了を送信してシーケンスを終了する。
【００４８】
また、図５（ｂ）に示すように、ＭＳが、ＲＡＣＨに自己のＩＤ（ＩＭＳＩ）を付加してＲＲＣコネクション要求を送信しても（Ｓ３１）、ＢＴＳ（第１の装置）の受信ＩＤ判定処理で、受信したＲＡＣＨに含まれるＩＤ（ＩＭＳＩ）が、ユーザ認識ＩＤ登録テーブル１８に登録されていないと判断されると、ＢＴＳは上位装置へのＲＲＣコネクション要求は送信せず、受信したデータを破棄する。このようにしてＲＲＣコネクション設定シーケンスが行われるものである。
【００４９】
これにより、第１の装置では、ユーザ認識ＩＤ登録テーブル１６に登録されているＭＳからＲＲＣコネクション要求があった場合のみ、上位装置へ送信し、登録されていないＭＳからのＲＲＣコネクション要求は受け付けないようにすることができるものである。
【００５０】
次に、第１の装置における処理構成について図６を用いて説明する。図６は、第１の装置の処理構成例を示す説明図である。
図６に示すように、第１の装置では、無線部１１がＭＳからＲＡＣＨによるＲＲＣコネクション要求を受信すると、変復調部１２及び信号処理部１３が復調処理を行ってＲＡＣＨから受信ユーザ認識ＩＤを抽出する。そして、制御部１５が、抽出されたＩＤとユーザ認識ＩＤテーブル１８中のＩＤとのＩＤ比較処理を行い、一致した場合のみ上位装置に対してＲＲＣコネクション実行を選択して、信号処理部１３にＲＲＣコネクション送信の指示を出力するようになっている。
【００５１】
本発明の第１の実施の形態に係る無線基地局装置によれば、予め登録されたユーザ認識ＩＤを記憶部１７のユーザ認識ＩＤテーブル１８に登録しておき、制御部１５が、ＭＳからＲＡＣＨを用いてＲＲＣコネクション要求があった場合に、当該ＲＡＣＨに含まれるＩＤ（ＩＭＳＩ）が、ユーザ認識ＩＤ登録テーブル１８に記憶されているＩＤと一致するか否かを判断し、一致する場合には、上位装置にＲＲＣコネクション要求を送信し、一致しない場合にはＲＲＣコネクション要求を破棄するようにしているので、登録されているユーザ以外のＭＳが当該無線基地局装置を利用できないようにして、例えば、家庭用やオフィス用の収容チャネル数が少ない無線基地局装置を、他人のＭＳに使用させずに当該無線基地局装置を設置したユーザが独占的に使用でき、無線基地局装置を設置したユーザの利便性を向上させることができる効果がある。
【００５２】
次に、本発明の第２の実施の形態に係る無線基地局装置について説明する。
上述した第１の無線基地局装置では、ユーザ認識ＩＤテーブルに登録されているＭＳのみＲＲＣコネクション要求を受け付け、他のＭＳは全く受け付けないようにしていたが、第２の無線基地局装置では、他のＭＳを受け付ける程度を変えた複数のモードを設け、ユーザの使用頻度や使用状況に応じて適切なモードを選択することにより、ＢＴＳの有効利用を図ることができるものである。
【００５３】
第２の実施の形態に係る無線基地局装置（第２の装置）の構成は、図１に示した第１の無線基地局装置とほぼ同様であるため、同一の符号を用いて説明するが、制御部１５における処理が一部異なっている。
第２の装置では、ユーザ認識の違いに応じて、ノーマルモード、占有モード、優先モードの３つのモードを備えており、制御部１５は、ＲＲＣコネクション要求があった場合には、設定されたモードに従って処理を行うものである。また、第２の装置には、上記３つのモードを切り替える切替スイッチが設けられている。
【００５４】
第２の装置における各モードについて説明する。
ノーマルモードは、従来と同様に、収容チャネル数に空きがあれば、特にユーザを区別することなくＲＲＣコネクションを行うモードである。このモードは、ＢＴＳ側にとってのメリットは特にないものの、例えば、無線基地局装置の工場出荷時又は初期化時のデフォルトモードとして設けられている。
【００５５】
占有モードは、第１の装置で説明した方法であり、予め登録されたＭＳ以外のＲＲＣコネクション要求は受け付けないものである。占有モードでは、ＢＴＳを設置したユーザのＭＳをＢＴＳに登録しておくことにより、ＢＴＳを設置したユーザが当該ＢＴＳを独占的に使用することができ、他のＭＳの使用を認めないものである。
【００５６】
また、優先モードは、登録されたＭＳは優先的に当該ＢＴＳを使用可能であるが、収容チャネル数に余裕がある場合に限って、登録されていないＭＳであってもＲＲＣコネクション要求を受け付けるものである。具体的には、ユーザ認識ＩＤテーブル１８に登録されているＩＤの数が、ＢＴＳの最大収容チャネル数よりも少ない場合、最大収容チャネル数から登録されているＩＤ数を引いた差に相当するチャネル数については、ノーマルモードでＲＲＣコネクション要求を受け付けるものである。
【００５７】
尚、第２の装置を用いた無線通信システム（第２のシステム）では、移動端末側でも、ノーマルモード、占有モード、優先モードを備え、モード設定に応じた処理を行うようになっている。第２のシステムのＭＳは、ＧＵＩ等からモードの切り替えを行うことができる構成となっている。
【００５８】
次に、第２の装置を用いた無線通信システムにおける各モードでのＭＳ及びＢＴＳの動作について具体的に説明する。
まず、ノーマルモードにおけるＲＲＣコネクション要求時の処理について図７及び図８を用いて説明する。図７は、ノーマルモードにおけるＭＳ側のＲＲＣコネクション要求時の処理を示すフローチャート図であり、図８は、ノーマルモードにおけるＢＴＳのユーザ認識方法のフローチャート図である。
【００５９】
図７に示すように、ＭＳの制御部は、ノーマルモードが設定されていると、従来と同様に、ＢＴＳ識別ＩＤを付加することなく、ＲＲＣコネクション要求を送信し（４００）、処理を終わる。ＭＳ側におけるノーマルモードは、外出時等、近くに占有したいＢＴＳがない場合に用いられるものであり、近隣のどのＢＴＳでも構わないから接続して無線通信を行う時に使用されるものである。
【００６０】
また、図８に示すように、ＢＴＳの制御部１５は、ＲＡＣＨを受信したかどうかを判断し（４２０）、ＲＡＣＨを受信した場合には、収容チャネルに空きがあれば上位装置にＲＲＣコネクション要求を行って（４２２）、処理を終わる。
ＢＴＳのノーマルモードは、従来と同様にＭＳを登録／未登録によって区別せず、収容チャネルに空きがあればＲＲＣコネクションを行うものであり、例えば、上述したように工場出荷時のデフォルトとして用いられるモードである。
【００６１】
次に、占有モードにおけるＲＲＣコネクション要求時の処理について図９及び図１０を用いて説明する。図９は、占有モードにおけるＭＳ側のＲＲＣコネクション要求時の処理を示すフローチャート図であり、図１０は、占有モードにおけるＢＴＳのユーザ認識方法の処理を示すフローチャート図である。
【００６２】
ＭＳにＧＵＩ等で占有モードが設定されている場合、図９に示すように、ＭＳの制御部は、ＲＡＣＨにＢＴＳ識別ＩＤを付加して（３００）、ＲＲＣコネクション要求を送信する（３０２）。ＭＳ側の処理はこのようになっている。
【００６３】
ＭＳに占有モードが設定されている場合、ＭＳは、ＢＴＳ識別ＩＤを付加してＲＲＣコネクション要求を行い、ＢＴＳ識別ＩＤが一致するＢＴＳが見つかった場合のみ通信を行うものであり、他のＢＴＳとの通信は行わない。したがって、セルサーチでＢＴＳ識別ＩＤが一致するＢＴＳ（自ＢＴＳ）が検出できず、隣接セルＢＴＳを検出したとしても、当該隣接ＢＴＳとは通信を行わない。
また、占有モードのＭＳは、隣接セルＢＴＳへのハンドオーバも行わない。
これにより、占有モードでは、ＭＳが自ＢＴＳとの通信を確実に行うことができると共に、他のＢＴＳと通信を行うのを禁止することができるものである。
【００６４】
次に、ＢＴＳ側の処理について説明する。
また、図１０に示すように、ＢＴＳに占有モードが設定されている場合、ＢＴＳでは、制御部１５が、ＭＳからＲＲＣコネクション要求のＲＡＣＨを受信したか否かを判断し（３２０）、受信した場合には、ＲＡＣＨからユーザ認識ＩＤ（ＩＭＳＩ）を取得する（３２２）。
【００６５】
そして、制御部１５は、取得したユーザ認識ＩＤが、ユーザ認識ＩＤテーブル１８に登録されているか否かを判断し（３２４）、登録されていて、収容チャネルに空きがある場合には、上位装置に対してＲＲＣコネクションを行う（３２６）。
【００６６】
また、処理３２４で、ＲＡＣＨから取得したユーザ認識ＩＤが、ユーザ認識ＩＤテーブル１８に登録されていない場合には、制御部１５は、取得した情報を破棄し、処理を終わる。
【００６７】
占有モードでのＢＴＳは、ユーザ認識ＩＤテーブル１８に登録されているＭＳからのＲＲＣコネクション要求があった場合のみ上位装置に要求を送信し、それ以外は送信しないようにしているので、当該ＢＴＳを使用する権限のあるユーザのＭＳのＩＤをユーザ認識ＩＤテーブル１８に登録しておけば、ユーザ認識ＩＤテーブル１８に登録されていないＭＳからのＲＲＣコネクション要求があっても自ＢＴＳへの接続を禁止することができ、ＢＴＳの使用権限を備えたユーザだけが当該ＢＴＳを独占的に使用できるものである。
【００６８】
次に、第２の装置の特徴部分である優先モードにおけるＲＲＣコネクション要求時の処理構成について図１１を用いて説明する。図１１は、第２の装置の優先モードにおける処理構成例を示す説明図である。
図１１に示すように、第２の装置は、優先モードにおいて、ＭＳからＲＡＣＨによるＲＲＣコネクション要求を受信すると、復調処理を行い、ＲＡＣＨから受信ユーザ認識ＩＤを抽出する。
【００６９】
そして、抽出されたＩＤと、ユーザ認識ＩＤテーブル１８中のＩＤとのＩＤ比較処理を行い、一致した場合は上位装置に対してＲＲＣコネクション実行の選択を行う。
【００７０】
また、一致しなかった場合には、収容チャネル数をチェックし、ユーザ認識ＩＤテーブル１８に登録されているＩＤ数が、最大収容チャネル数よりも少ない場合には、その差の範囲内で空きチャネルがあればＲＲＣコネクションの実行を行う。つまり、優先モードでは、登録されているＭＳのためのチャネルは常に確保しておき、余りがあれば、余りのチャネルについてはノーマルモードで接続可能としたものである。このようにして第２の装置の優先モードにおける処理が構成されている。
【００７１】
次に、優先モードにおけるＲＲＣコネクション要求時の処理について図１２及び図１３を用いて説明する。図１２は、優先モードにおけるＭＳ側のＲＲＣコネクション要求時の処理を示すフローチャート図であり、図１３は、優先モードにおけるＢＴＳのユーザ認識方法の処理を示すフローチャート図である。
図１２に示すように、ＭＳにＧＵＩ等で優先モードが設定されている場合、ＭＳは、セルサーチを行って、スクランブリングコードから自ＢＴＳが検出される（５００）と、ＲＡＣＨにＢＴＳ識別ＩＤを付加して（５０２）、ＲＲＣコネクション要求を行う（５０４）。
【００７２】
また、処理５００で、自ＢＴＳが検出されなかった場合には、ＭＳは、ノーマルモードと同様に、ＢＴＳ識別ＩＤを付加せずに、ＲＲＣコネクション要求を行う（５０４）。これは、自ＢＴＳが検出できない場合には、隣接セルのＢＴＳに接続を試みるためである。
【００７３】
このように、ＭＳにおいて優先モードが設定されている場合には、初期設定で設定されているＢＴＳ識別ＩＤに一致するＢＴＳとの通信を優先するが、当該ＢＴＳが見つからない場合や、当該ＢＴＳとの通信が遮断した場合には、隣接セルＢＴＳへのハンドオーバを行うものである。
これにより、ＭＳは、自ＢＴＳとは優先的に接続でき、また、自ＢＴＳとの接続ができない場合には他ＢＴＳとの接続を行うことができ、安定した通信を行うことができるものである。
【００７４】
次に、ＢＴＳ側の処理について説明する。
図１３に示すように、ＢＴＳに優先モードが設定されている場合、ＢＴＳの制御部１５は、ＲＡＣＨを受信したかどうかを判断し（５２０）、ＲＡＣＨを受信した場合には、受信したＲＡＣＨからユーザ認識ＩＤ（ＩＭＳＩ）を読み取る（５２２）。
【００７５】
そして、制御部１５は、取得したユーザ認識ＩＤが、ユーザ認識ＩＤテーブル１８に登録されているか否かを判断し（５２４）、登録されている場合には、上位装置に対してＲＲＣコネクションを行う（５２８）。
【００７６】
また、処理５２４で、ＲＡＣＨから取得したユーザ認識ＩＤが、ユーザ認識ＩＤテーブル１８に登録されていない場合には、優先モードでは、登録されているユーザ認識ＩＤの数が最大収容チャネル数よりも少なければ、その差に相当する数のチャネルはユーザ認識ＩＤテーブル１８に登録されていないＭＳであっても接続可能とする。
【００７７】
そこで、制御部１５は、登録されているユーザ認識ＩＤの数と最大収容チャネル数との差に相当する収容チャネル（余りの収容チャネル）に空きがあるかどうかを判断して（５２６）、空きがあれば処理５２８に移行して、上位装置に対してＲＲＣコネクションを行う。
例えば、最大収容チャネル数が４で、ユーザ認識ＩＤテーブル１８に登録されているＩＤが１つで、既に接続している別のＭＳが１つの場合、余りの収容チャネルに２つの空きがあるため、ＲＲＣコネクション要求することができる。
【００７８】
また、処理５２６で、余りの収容チャネルに空きがなかった場合には、制御部１５は、取得した情報を破棄し、処理を終わる。
このようにして優先モードにおけるＢＴＳの処理が行われるものである。
【００７９】
これにより、優先モードでのＢＴＳは、ユーザ認識ＩＤテーブル１８に登録されているＭＳからＲＲＣコネクション要求があれば上位装置にＲＲＣコネクション要求を行い、登録されていないＭＳからＲＲＣコネクション要求があった場合には、最大収容チャネル数からユーザ認識ＩＤテーブル１８に登録されているＩＤの数を引いた余りの収容チャネルについてはノーマルモードで接続できるようにして、登録されているＭＳの接続を保証しつつ、収容チャネル数に余裕があれば他ＭＳの接続も可能として、ＢＴＳの有効活用を図ることができるものである。
【００８０】
次に、優先モードが設定されているＭＳの呼接続要求の別の処理について図１４を用いて説明する。図１４は、優先モードが設定されているＭＳの呼接続要求の別の処理を示すフローチャート図である。
ここでは、ＭＳが優先モード、ＢＴＳは占有モードに設定されており、ＢＴＳのユーザ認識ＩＤテーブル１８に登録されているＩＤの数が、ＢＴＳの最大収容チャネル数よりも多い場合について説明する。
【００８１】
別の処理は、ＭＳがＲＲＣコネクション要求を行い、ＢＴＳに拒否された場合、ＩＤが登録されていないという理由の他に、一時的に、ユーザ認識ＩＤテーブル１８に登録されている別のＭＳからのアクセスが集中して、収容チャネルに空きがない状態になっていることが考えられるため、自ＢＴＳから拒否された場合に、他のＢＴＳへの接続を試みる前に、自ＢＴＳに対して一定回数のリトライを行う処理である。
【００８２】
図１４に示すように、ＭＳからの呼接続要求が発生した場合、まず、前処理を行う（６００）。前処理としては、接続する無線基地局装置のセルサーチ、当該セル内に共通チャネルとして報知されている当該セルの運用情報や、周辺に存在する無線基地局装置のスクランブルコード及び周波数等の情報（周辺セル情報）が含まれる報知情報の受信を行う。
【００８３】
更に、ＭＳは、呼接続要求（Connection Request）のメッセージを送信するための準備として、内部のタイマ値、カウンタ値（カウンタＮ）の初期化を行う。また、ＭＳは、当該セルに適用される上り共通チャネルであるＲＡＣＨの送信のための制約情報を、上述した報知情報から取得する。この制約情報は、報知情報の情報要素（ＩＥ：Information Element）に含まれ、ここではＲＡＣＨの再送に使用するタイマ値及びシステムで規定される許容再送回数を取得する。
そして、ＭＳは、優先モードが設定されている場合、ＢＴＳ識別ＩＤを付加して、呼接続要求のＲＲＣコネクション要求をＲＡＣＨで送信する（６０２）。
【００８４】
ＢＴＳでは、ＲＡＣＨに含まれるＭＳのＩＭＳＩがＢＴＳのユーザ認識ＩＤテーブル１８に登録されていて、受け付け可能な端末であり、収容チャネルに空きがある場合には、ＢＴＳから受付確認（Confirm）を送信する。
また、ＢＴＳは、ＲＡＣＨから読み取ったＩＭＳＩがユーザ認識ＩＤテーブル１８に登録されていない場合には、受付拒否（Reject）を送信する。
また、ＢＴＳは、ＲＡＣＨに含まれるＭＳのＩＭＳＩがＢＴＳのユーザ認識ＩＤテーブル１８に登録されていても、収容チャネルに空きがない場合には、受付拒否を送信する。
【００８５】
ここで、ＢＴＳの制御部は、ＲＡＣＨから読み取ったＩＭＳＩがユーザ認識ＩＤテーブル１８に登録されていない場合又は収容チャネルに空きがない場合には、呼受付拒否（Reject）のメッセージ生成を行う。
通常、呼受付許可される場合には、上位装置であるＲＮＣからのＦＡＣＨメッセージにおいて個別チャネルを設定するためのパラメータを送信するが、本実施の形態に係るＢＴＳでは、呼受付を拒否する場合に、ＲＮＣからのＦＡＣＨメッセージの代わりにRejectを含んだＦＡＣＨメッセージを生成し、下り共通チャネル信号として送信する。ＭＳは、このＢＴＳからのＦＡＣＨメッセージを受信することで呼受付が拒否されたことを確認するものである。
【００８６】
ＭＳは、ＢＴＳからの受付確認又は受付拒否を受信し（６０４）、受付確認を受信した場合には、タイマを停止し（６０６）、呼接続処理を行って（６０８）、処理を終わる。
【００８７】
また、処理６０４で受付拒否を受信した場合には、ＭＳは、カウンタＮが報知情報で取得された許容再送回数を超えているかどうかを判断し（６１０）、超えていない場合には、まだ再送可能であるとして、タイムアップしたかどうかを判断し（６２０）、タイムアップした場合に呼接続要求を再送して（６２２）、カウンタＮをインクリメントし（６２４）、処理６０４に移行する。
【００８８】
また、処理６１０でカウンタＮが報知情報で取得された許容再送回数を超えていた場合には、ＭＳは、再送不可として、報知情報に含まれるＩＥに周辺基地局の情報があるかどうかを判断する（６１２）。
【００８９】
そして、周辺基地局の情報がある場合には、ＭＳは、周波数情報、スクランブリングコードを用いてタイミング同期を確立して、捕捉セルを切り替え（６１４）、処理６００に戻って別のＢＴＳに対して呼接続要求を送信する。
【００９０】
処理６１２で、報知情報に周辺基地局情報がなかった場合には、ＭＳは、接続可能な基地局がないエリアと判断し、一時的に下り共通チャネルの受信動作や上り共通チャネルによる無線基地局装置に対するアクセスを行わないアイドルモードに移行して（６１６）、処理を終了する。
このようにして、本発明の実施の形態に係る移動端末における別の処理が行われるものである。
【００９１】
次に、第２の装置における表示について説明する。
第２の無線基地局装置では、使用状況を確認できるように、表示部に状態を表示する。例えば、接続しているＭＳの数や、そのＩＤを表示する。
また、ＬＥＤ等で、ユーザ登録、ユーザ認識、モード切り替え時の設定ＯＫ／ＮＧを表示したり、ログを表示することも可能である。
具体的には、制御部１５が、装置の状態に応じてＬＥＤ等の表示部２０を制御して、状態を表示するものである。
【００９２】
同様に、第２の装置を用いた無線通信システムにおける移動端末でも、現在設定されているモード（ノーマル、占有、優先のいずれか）や、自ＢＴＳが使用できているか否かといった表示を行う。各表示はマークやアイコンで表示することも可能である。更に、ユーザ登録、ユーザ認識、モード切り替え時のログの表示を行ってもよい。
【００９３】
本発明の第２の実施の形態に係る無線基地局装置によれば、ノーマルモードと、占有モードと、優先モードの３種類のモードを設け、ＲＲＣコネクション要求があった場合、制御部１５が、ノーマルモードでは、要求元のＭＳのＩＤにかかわらず上位装置にＲＲＣコネクション要求を行い、占有モードでは、要求元のＭＳのＩＤがユーザ認識ＩＤテーブル１８に登録されている場合にＲＲＣコネクション要求を行い、優先モードでは、要求元のＭＳのＩＤがユーザ認識ＩＤテーブル１８に登録されている場合と、登録されていなくても、最大収容チャネル数と、ユーザ認識ＩＤテーブル１８に登録されているＩＤの数との差に相当する余りの収容チャネルに空きがある場合にＲＲＣコネクション要求を行うようにしているので、ユーザの使用状況に応じて３種類のモードを使い分けて設定することができ、利便性を向上させることができる効果がある。
【００９４】
特に、優先モードでは、登録されたＭＳの数に相当する収容チャネルは常に確保しつつ、余りのチャネルはノーマルモードで接続可能としているので、ＢＴＳを設置したユーザが優先的にＢＴＳを使用することができ、利便性を向上させることができると共に、余ったチャネルについては他のＭＳも接続可能として、ＢＴＳを有効活用することができる効果がある。
【００９５】
また、本発明の実施の形態に係る無線通信システムにおける移動端末によれば、ＲＲＣコネクション要求を行って、受付拒否された場合には、予め設定された一定回数ＲＲＣコネクション要求のリトライを行うようにしているので、ＭＳがＲＲＣコネクション要求を行った時に、既にユーザ認識ＩＤテーブル１８に登録されている別のＭＳにより収容チャネルが全て占有されていた場合にも、何回かＲＲＣコネクション要求を再送することができ、当該ＢＴＳに接続できる可能性を高くすることができる効果がある。
【００９６】
更にまた、ＢＴＳのユーザ認識ＩＤテーブル１８に、ＩＤに優先順位を付して登録しておき、優先順位の高いＭＳからのＲＲＣコネクション要求を受信した時に、収容チャネルに空きがない場合には、優先順位の低いＭＳとの接続を切断して、優先順位の高いＭＳからのＲＲＣコネクション要求を受け付けるようにすることも可能であり、優先順位に応じた接続を行うことができる効果がある。
【００９７】
また、第２の装置では、設定されているモードや接続されているＭＳの数といった装置の状態を表示部２０に表示するようにしているので、装置の動作状況を作業者が確認でき、装置の保守点検に利用することができる効果がある。
【産業上の利用可能性】
【００９８】
本発明は、小規模セルにおいて利用者の利便性を向上させることができる無線基地局装置に適している。
【図面の簡単な説明】
【００９９】
【図１】本発明の第１の実施の形態に係る無線通信システムにおける無線基地局装置（第１の装置）の構成ブロック図である。
【図２】第１の装置を用いた無線通信システムの動作の概要を示す説明図である。
【図３】第１の装置を用いた無線通信システムのＭＳの制御部におけるユーザ登録方法を示すフローチャート図である。
【図４】第１の無線基地局装置の制御部１５におけるユーザ登録方法を示すフローチャート図である。
【図５】（ａ）は、ＭＳのＩＤがユーザ認識ＩＤテーブル１８に登録されている場合のシーケンス説明図、（ｂ）は、ＭＳのＩＤがユーザ認識ＩＤテーブル１８に登録されていない場合のシーケンス説明図である。
【図６】第１の装置の処理構成例を示す説明図である。
【図７】ノーマルモードにおけるＭＳ側のＲＲＣコネクション要求時の処理を示すフローチャート図である。
【図８】ノーマルモードにおけるＢＴＳのユーザ認識方法のフローチャート図である。
【図９】占有モードにおけるＭＳ側のＲＲＣコネクション要求時の処理を示すフローチャート図である。
【図１０】占有モードにおけるＢＴＳのユーザ認識方法の処理を示すフローチャート図である。
【図１１】第２の装置の優先モードにおける処理構成例を示す説明図である。
【図１２】優先モードにおけるＭＳ側のＲＲＣコネクション要求時の処理を示すフローチャート図である。
【図１３】優先モードにおけるＢＴＳのユーザ認識方法の処理を示すフローチャート図である。
【図１４】優先モードが設定されているＭＳの呼接続要求の別の処理を示すフローチャート図である。
【図１５】一般的な無線通信システムの構成を示す概略説明図である。
【図１６】位置登録シーケンスを示す説明図である。
【図１７】従来の無線通信システムにおけるＲＲＣコネクションシーケンスの概要を示す説明図である。
【図１８】従来の無線通信システムにおける不具合な点を示す模式説明図である。
【符号の説明】
【０１００】
１…移動端末（ＭＳ）、  ２…無線基地局装置（ＢＴＳ）、  ３…無線制御装置（ＲＮＣ）、  ４…移動交換機（ＭＳＣ）、  ５…ホームロケーションレジスタ（ＨＬＲ）、  １１…無線部、  １２…変復調部、  １３…信号処理部、  １４…伝送路インタフェース部、  １５…制御部、  １６…メインメモリ、  １７…記憶部、  １８…ユーザ認識ＩＤテーブル、  １９…インタフェース部、  ２０…表示部
【図１】
2008167497.tif 000003
【図２】
2008167497.tif 000004
【図３】
2008167497.tif 000005
【図４】
2008167497.tif 000006
【図５】
2008167497.tif 000007
【図６】
2008167497.tif 000008
【図７】
2008167497.tif 000009
【図８】
2008167497.tif 000010
【図９】
2008167497.tif 000011
【図１０】
2008167497.tif 000012
【図１１】
2008167497.tif 000013
【図１２】
2008167497.tif 000014
【図１３】
2008167497.tif 000015
【図１４】
2008167497.tif 000016
【図１５】
2008167497.tif 000017
【図１６】
2008167497.tif 000018
【図１７】
2008167497.tif 000019
【図１８】
2008167497.tif 000020